(57)【要約】【課題】ハイネック衣料品のセーター、シャツ等の着用時、ハイネックえりにより寒気や花粉、公害材等の呼吸の吸入を防ぐべく顔面まで引き上げての着用が行なわれる際、該えりの顔面からのずり落ちを防ぎ、更にえり上端を顔面間に形成される隙間の閉鎖が出来るハイネック衣料のえり部の提供。【解決手段】ハイネック衣料のえりや筒状のえり巻を含むえり部に於いて、そのえり部を顔面に上げた際、鼻の両脇対応部分に緊縛紐の端部を固定すると共に該緊縛紐を外鼻孔下部対応部にて交差させ続いて鼻を中心とする逆側のえり部上に延伸させ他端部をえり部に固定又は緊縛紐端部同士を固定させた構成。【選択図】  図１
2018071031.tif 000002
【特許請求の範囲】
【請求項１】
長えり部を備える衣料であって、長えり部を顔面に引き上げた状態において、緊縛紐の一端部が長えり部の鼻の両脇対応部分に固定されていると共に該緊縛紐は長えり部の鼻上又は外鼻孔下部対応部にて交差して設置され、該緊縛紐は鼻を中心として前記鼻の両脇対応部分の反対側の長えり部上に延伸させて設置されていることを特徴とする衣料。
【請求項２】
２本の緊縛紐の夫々の一端部が前記長えり部の鼻の両脇対応部分に固定されていると共に該緊縛紐は前記長えり部の外鼻孔下部対応部にて交差して設置され、該緊縛紐の他端部が前記長えり部に固定されていることを特徴とする請求項１に記載の衣料。
【請求項３】
１本の緊縛紐の両端部が前記長えり部の鼻の両脇対応部分に固定されていると共に該緊縛紐は前記長えり部の外鼻孔下部対応部にて交差して設置され、該緊縛紐が前記鼻の両脇対応部分の反対側に延伸されていると共に前記長えり部の周囲に亘って設置されていることを特徴とする請求項１に記載の衣料。
【請求項４】
前記長えり部の鼻の両脇対応部分に前記緊縛紐を固定するための固定部が設けられていると共に前記緊縛紐の端部に係合部が設けられ、前記固定部に該係合部と係合する係止部が設けられていることを特徴とする請求項１から３のうちいずれか１項に記載の衣料。
【請求項５】
前記緊縛紐はゴム紐であることを特徴とする請求項１から４のうちいずれか１項に記載の衣料。
【発明の詳細な説明】
【技術分野】
【０００１】
本発明は、衣料品に関し、特に、長えり部を備えたハイネック衣料又はタートルネック衣料等に関する。
【背景技術】
【０００２】
寒冷地やスキー場に於いて、ネックウォーマーを利用して目より下方の顔面を覆うフェイス防寒具が提案されている。このフェイス防寒具の上部の内部には全周に亘ってゴムが設置されてずれ落ちを防止している（特許文献１）。
【０００３】
又、ネックウォーマーがない場合には、ハイネック衣料又はタートルネック衣料、例えば、丸首のセーターやシャツの長えりを顔面まで引き上げ、鼻及び口を覆い、呼吸における鼻内部、口内部、咽頭等の寒気を緩和することはよく行なわれている。
【０００４】
しかし、その際、えりの上端を鼻の上に位置するように引き上げると、鼻の高さによりえりが伸長し、鼻と頬の間が直線状に引っ張られて、えりと頬との間に間隙が形成され、寒い空気のえり内への入り込みを防ぐことが出来ず、寒い空気が吸い込まれ、呼吸における寒気を緩和する力が落ちてしまう。
【０００５】
特許文献１に記載のフェイス防寒具の場合にも、ネックウォーマーの上端を鼻の上に位置するように引き上げると、衣料のえりと同様に、ネックウォーマーの上端が伸長し、鼻と頬の間が直線状に引っ張られて、上端と頬との間に間隙が形成され、寒い空気のネックウォーマー内への入り込みを防ぐことが出来ず、寒い空気が吸い込まれ、呼吸における寒気を緩和する力が落ちてしまう。
【０００６】
更に、えり上端は、首周囲をゆるく覆うように構成されているため、顔面に引き上げて使用した場合、どうしても繊維を延伸させる形となるため、そのような着用により、えりがずれ落ちて顔面を覆う役に立たない状態になることが多い。
【０００７】
更に、鋳物工場、塗装工場等、大気に有害物質が含まれ、呼吸により健康上の問題が発生する可能性のある作業場所や作業状況に於いて、マスクや手拭等の着用により口及び鼻を覆うことは時には面倒で、着用をしないで済ます場合が多々ある。
【先行技術文献】
【特許文献】
【０００８】
【特許文献１】特開２０１５−３０９６０号公報
【発明の概要】
【発明が解決しようとする課題】
【０００９】
そこで、本発明に於いては、丸首のセーターやシャツ等のハイネック衣料又はタートルネック衣料の長えりを、顔面に引き上げて使用する際に、長えりと顔面との密着を確実にして、長えりと頬との間を確実に塞ぎ、呼気の吸い込み時の寒気を緩和して楽な呼吸を可能とすることを目的とする。
【００１０】
又、ハイネック衣料又はタートルネック衣料の長えりを顔面に引き上げて使用する際の繊維の収縮不足による長えりのずれ落ちによる寒気の緩和力の減退を防ぎ、長えりを顔面上に留まることが出来るようにすることを目的とする。
【００１１】
又、マスクや手拭等の着用の代用として、長えりの引張り上げと云う簡便な方法で呼吸時の各種問題発生を軽減させることを目的とする。
【課題を解決するための手段】
【００１２】
これらの目的を解決するため、本発明は、長えり部を備える衣料品であって、長えり部を顔面に引き上げた状態において、緊縛紐の一端部が長えり部の鼻の両脇対応部分に固定されていると共に該緊縛紐は長えり部の鼻上又は外鼻孔下部対応部にて交差して設置され、該緊縛紐は鼻を中心として前記鼻の両脇対応部分の反対側の長えり部上に延伸させて設置されていることを特徴とする衣料品を提案する。
【００１３】
又、上記衣料品であって、２本の緊縛紐の夫々の一端部が前記長えり部の鼻の両脇対応部分に固定されていると共に該緊縛紐は前記長えり部の外鼻孔下部対応部にて交差して設置され、該緊縛紐の他端部が前記長えり部に固定されていることを特徴とする衣料品を提案する。
【００１４】
又、上記衣料品であって、１本の緊縛紐の両端部が前記長えり部の鼻の両脇対応部分に固定されていると共に該緊縛紐は前記長えり部の外鼻孔下部対応部にて交差して設置され、該緊縛紐が前記鼻の両脇対応部分の反対側に延伸されていると共に前記長えり部の周囲に亘って設置されていることを特徴とする衣料品を提案する。
【００１５】
又、上記衣料品であって、前記長えり部の鼻の両脇対応部分に前記緊縛紐を固定するための固定部が設けられていると共に前記緊縛紐の端部に係合部が設けられ、前記固定部に該係合部と係合する係止部が設けられていることを特徴とする衣料品を提案する。
【００１６】
又、上記衣料品であって、緊縛紐はゴム紐であることを特徴とする衣料品を提案する。
【発明の効果】
【００１７】
本発明によれば、ハイネック衣料又はタートルネック衣料等の長えりを備えた衣料品の寒冷地、スキー場等に於いての着用時、長えりを顔面に引き上げて顔面を覆うことにより、長えりと顔面との密着を確実にして、顔面に当る寒気や雪、雨等を防ぎ、更に、長えりと頬との間隙を塞ぐことが出来る。この結果、寒い空気の鼻よりの吸入を防ぎ、楽な呼吸が可能となり、日常生活、スキー等の活動を楽しむことが出来る。
【００１８】
又、緊縛紐の使用により、長えりによる顔面の被覆が簡単で且つ、ずれ落ちが防止出来、実用効果が大きい。然も、長えりの一部に手を加えるだけの常態に於ける使用を活用するだけなので、構成は極めて簡単で、廉価に作成出来、ハイネック衣料又はタートルネック衣料等の長えりを備えた衣料品の用途を拡げることが出来る。
【００１９】
又、緊縛紐はゴム紐であるので、長えりによる顔面の被覆がより簡単で且つ、ずれ落ちを確実に防止することが出来る。
【００２０】
更に、マスクや手拭等の着用の代用として、長えりの引張り上げと云う簡便な方法で呼吸時の各種問題発生を軽減させることが出来る。
【図面の簡単な説明】
【００２１】
【図１】本発明一実施使用状態説明正面図
【図２】本発明一実施他使用状態説明正面図
【図３】本発明一実施概略説明斜面図
【図４】本発明一実施例概略説明斜面図
【図５】本発明他実施例概略説明斜面図
【図６】本発明他実施例概略説明斜面図
【発明を実施するための形態】
【００２２】
以下、図に示す実施例により、本発明を詳細に説明する。図１及び図２に示すように、シャツやセーター等の衣料品１は、人間の首の周囲を覆う長えり部２を備えて構成されている。
【００２３】
これらの衣料品１は主として丸首であるが、長えり部２が縦割していても、ボタンやファスナー等により丸首化出来ればよい。この長えり部２は、一重のまま、二重や三重に折り重ねる等して、人間の首が挿通されて、首の周囲を覆う状態にて使用する。一方、寒い時やスキーをする時等には、顔面、眼の下辺りまで、あるいは鼻が隠れる程度、又は口が隠れる程度に長えり部２の上端部２１を引っ張り上げて、顔面の一部を覆うようにして使用することが行なわれている。
【００２４】
着用者の顔面３１上の鼻３の両脇部３２、３２に対応する長えり部２の部分、即ち鼻の両脇対応部分に２本の緊縛紐４、４の一端部４１、４１が固定されている。この緊縛紐４が長えり部２の両脇対応部分に固定されている箇所を固定部４２という。緊縛紐４の長えり部２への固定は、縫着、結着、接着等の各固定手段を選択使用することが出来る。尚、緊縛紐４はゴム紐を使用するのが良いが、紐の種類は限定されず、織紐、組紐、綿紐等の紐類、ゴム材等を使用することが出来る。
【００２５】
緊縛紐４、４は、その一端部４１、４１を、長えり部２を顔面に引き上げて上端部２１を鼻上に保持した状態において、長えり部２の鼻３の両脇対応部分の固定部４２に上記の所定の手段にて固定して、下垂させ、緊縛紐４、４を鼻３の外鼻孔３３の下に来るように夫々曲げ部４５、４５で交差させ、長えり部２の外鼻孔下部対応部にて交差して設置し、更に緊縛紐４、４は鼻３を中心として鼻３の両脇対応部分の反対側の長えり部２上に延伸させて、長えり部２の上端部２１にその他端部４６、４６を固定させる。この他端部４６の固定も一端部４１の長えり部２への固定と同様に構成することが出来る。
【００２６】
緊縛紐４は、長えり部２にその下垂部４４、曲げ部４５の適宜箇所を縫着、織込み、編込みにより挿通又は固定し更にその途中に於いても同様に長えり部２に挿通又は固定することは推奨される。
【００２７】
又、図３に示すように、１本の或いは連続した緊縛紐４を長えり部２の周囲に亘って設置する構成としてもよい。具体的には、緊縛紐４を長えり部２の上端部２１を一周するように織込み又は編込み部６に編込みして、２本の緊縛紐４の終端にて両端を固着して連続させるか、又、一本の緊縛紐４にて長えり部２の上端部２１の織込み又は編込み部６に編込みして一周させ、緊縛紐４の両端部４１、４１のみにて長えり部２に固定するように構成することも出来る。この際、図４に示すように、緊縛紐４には、鼻３上で交差するだけの場合もある。
【００２８】
図５に示すように、緊縛紐４の一端部４１の鼻の両脇対応部分への固定構造は、長えり部２の内側に、ホックや鳩目等の係止部５２を備えた固定部５１を設けて形成してもよい。固定部５１には係止部５２を所定数構成しておくことが出来る。緊縛紐４の一端部４１には、ホックや鳩目等の係止部５２に対応する係合部４３を設けて、係止部５２と係合自在としておくことは推奨される。この固定部５１、５１を長えり部２の上部又は上端部に於いて、着用者の鼻の両脇部３２、３２に対応する長えり部２の部分、即ち鼻の両脇対応部分に夫々設けることにより、緊縛紐４の固定箇所を選択することが可能になっている。
【００２９】
この構成により、緊縛紐４、４の一端部４１、４１の固定位置の移動が可能となり、各個人の顔の形状に対応することが可能になった。且つ、緊縛紐４、４の緊縛度を調整することが可能になった。
【００３０】
又、図６に示すように、鼻３にかける留部７を別途プラスチック、布地、金属薄版等で構成して、長えり部２に設置し、緊縛紐４の一端４１、４１を、長えり部２の鼻３の両脇対応部分において、留部７に固定した構成とすることが出来る。留部７が鼻３に係止されて長えり部２のずれ落ちを防ぎ、長えり部２を顔面上に留めることが出来る。
【００３１】
次いで、その使用について説明する。シャツ又はセーター等の衣料品１は通常の着用に於いては長えり部２は、首を被覆した状態に伸び又は折重ねられている。寒い時やスキーの時等に長えり部２を顔面上に引き上げ、眼の下まで顔面を覆って寒気を防ぐ。
【００３２】
その際、長えり部２の上端部２１は、顔面の中央に於いて、鼻３上を横断し頬、耳、後頭部上を一周する状態に置かれる。然るとき、鼻３の両脇部３２、３２に対応する長えり部２の部分、即ち鼻の両脇対応部分に固定された緊縛紐４、４は、長えり部２の引き上げにより鼻３に引っ掛かり、引っ張られ、緊張せしめられる。この為、鼻３の両脇３２、３２に対応する、長えり部２の固定部４２、４２は下方に引かれ、長えり部２の固定部４２周辺は、頬の方向に引き締められ、鼻３の鼻梁３１と頬との間に入って隙間をなくして両者を密着することになる。更に、長えり部２の上端部２１に設置されている緊縛紐４、４によって長えり部２の上端部２１は引っ張られ収縮せしめられる。又、図４の場合、鼻梁３１上にて引張られ緊縛紐４、４は頬に密着する。
【００３３】
これらの作用により、長えり部２の上端部２１は顔面から後頭部まで周囲が収縮緊張して顔面、後頭部に緊密に保持される。従って。顔面からのずり落ちを防止出来る。又、鼻３の鼻梁３１の高さによる長えり部２の上端部２１との隙間は、有効に埋められ呼吸時の寒気の流入や排気の排出による眼鏡のくもりを防止することが出来る。
【００３４】
又、衣料品の他の実施例としては、長えり部２のみをシャツやセーター等の衣料品１の胴部分から分離することが出来る構成として、長えり部２と衣料品１の胴部分をファスナー、圧着ファスナー、ホック等の結合部を用いて着脱自在として構成することも可能である。
【００３５】
更に又、図示はしないが、衣料品を長えり部のみで形成した衣料品として構成することも出来、その具体例としては、ネックウォーマー等が挙げられる。
【産業上の利用可能性】
【００３６】
本発明によれば、衣料品に極めて簡単な構成の付加によって、該衣料品の作用効果が顕著に拡大できる。更に各種工場、作業場に於いて通常着用する衣料を使用して、マスク等の着用なく極めて簡単にその代用効果を得られ、シャツ、セーターの使用範囲を拡大しその需要の増大を期待できる。
【符号の説明】
【００３７】
１      衣料品
２      長えり部
３      鼻
４      緊縛紐
５１    固定部
６      編込み部
７      留部
【図１】
2018071031.tif 000003
【図２】
2018071031.tif 000004
【図３】
2018071031.tif 000005
【図４】
2018071031.tif 000006
【図５】
2018071031.tif 000007
【図６】
2018071031.tif 000008